(57)【特許請求の範囲】
【請求項１】
発射レール上の下側端部の発射位置に保持された遊技球を発射する発射装置と、
遊技球貯留皿から供給された遊技球を一個ずつ前記発射位置に供給する球送装置と、
前記発射装置と前記球送装置の作動を制御し、遊技球を連続して発射可能とする発射制御手段と
を備えるパチンコ機において、
前記発射位置の側傍に流入口が臨み、該流入口へ流入した遊技球を遊技球貯留皿に流出させる残存球排出路と、
前記発射位置に保持された遊技球を前記残存球排出路の流入口へ押し出し可能に配設された球押出部材を具備してなり、前記球送装置によって前記発射位置へ遊技球が供給される際に前記発射位置に既に遊技球が保持されている場合には、遊技球の供給に先立って前記発射位置に保持された遊技球を前記球押出部材によって前記残存球排出路の流入口へ押し出す球押出手段と
を備えたことを特徴とするパチンコ機。
【請求項２】
前記球送装置は、
前記発射位置の前上方位置で前後方向に軸支され、遊技球一個を受入可能な大きさの受入凹部を軸周りに少なくとも一つ備える球送部材と、
前記受入凹部が、遊技球貯留皿から供給された遊技球を受け入れる受入位置と、受け入れた遊技球を前記発射位置へ向けて供給する供給位置とに変換するように前記球送部材を一方向に回転駆動する球送駆動手段とを備えるものであり、
前記球押出部材は、
前記球送部材の背面の、前記受入凹部の回転方向側に隣接する位置から後方に突出し、
回転方向の反対側から前記球押出部材に隣接する前記受入凹部が、前記球送部材の回転によって前記供給位置へ移動するのに伴って、前記発射位置を前記発射レールの下側端方向に横切って、前記発射位置に既に保持されている遊技球を前記発射レールの下側端から落下させるように移動するものであり、
前記残存球排出路の流入口は、前記発射レールの下側端の下方に設けられていることを特徴とする請求項１記載のパチンコ機。
【請求項３】
前記球押出部材は、該球押出部材に回転方向の反対側から隣接する前記受入凹部が前記供給位置に位置する時に、前記発射レールの下側端から落下しないように前記発射位置に供給される遊技球を前記発射位置に係止する位置に位置するものであり、
前記発射制御手段は、前記受入凹部が前記供給位置に移動した後に、前記供給位置の前記受入凹部から放出された遊技球が前記発射装置によって発射されるまで、前記球送部材の回転を停止させるように前記球送駆動手段を制御するものであることを特徴とする請求項２記載のパチンコ機。
【請求項４】
前記球送装置は、
前記発射位置の前方に軸支され、遊技球一個を受入可能な大きさの受入凹部を軸周りに一つ備える球送部材と、
前記受入凹部が、遊技球貯留皿から供給された遊技球を受け入れる受入位置と、受け入れた遊技球を前記発射位置へ向けて供給する供給位置とに変換するように前記球送部材を往復傾動させる球送駆動手段とを備えるものであり、
前記球押出部材は、前記球送部材と連繋し、前記受入凹部が前記受入位置にある状態で前記発射位置の直前方に退避する退避位置に位置し、前記受入凹部が前記供給位置に移動するのに伴って前記退避位置から前記発射位置へ進出して、前記発射位置に既に保持されている遊技球を前記残存球排出路の流入口へ押し出すものであり、
前記発射制御手段は、前記供給位置へ移動した前記受入凹部から前記発射レール上へ遊技球が放出された後に、該受入凹部が前記受入位置に復帰するよう前記球送駆動手段を制御して、放出された遊技球が前記発射位置に到達する前に前記球押出部材を前記退避位置に変換させるものであることを特徴とする請求項１記載のパチンコ機。
【発明の詳細な説明】
【技術分野】
【０００１】
本発明は、発射位置に遊技球を一個ずつ供給し、供給された遊技球を遊技領域へ発射するパチンコ機に関する。
【背景技術】
【０００２】
従来のパチンコ機は、遊技盤の前面に、遊技釘や入賞装置等が配設された円形状の遊技領域が区画形成されており、遊技領域内に打ち出された遊技球が遊技領域内で転動流下するようになっている。
【０００３】
また、一般的なパチンコ機は、発射レール上の下側端部の発射位置に保持された遊技球を発射する発射装置と、遊技球貯留皿から供給された遊技球を一個ずつ前記発射位置に供給する球送装置とを備えている。かかる構成では、遊技者が発射ハンドルを操作すると、球送装置と発射装置とが作動して発射動作が開始され、発射された遊技球は、遊技領域の外側に設けられた案内通路によって遊技領域上部へ案内されることとなる（例えば特許文献１）。
【０００４】
ところで、パチンコ機の発射動作は、一般的に、球送装置が発射位置へ遊技球一個を供給する球送動作と、発射装置が該遊技球を打圧して遊技領域へ発射する打圧動作とによって構成されており、発射動作中は、球送動作と打圧動作とが交互に繰り返されることによって遊技球が立て続けに発射される。最近のパチンコ機は、球送装置と発射装置の作動を電気的に制御することによって、一分間に１００個程度の遊技球を発射するようになっている。
【０００５】
また、一般的な球送装置は、遊技球一個を受入可能な大きさの受入凹部を具備する球送部材と、該受入凹部が遊技球貯留皿から供給された遊技球を受け入れる受入位置と、受け入れた遊技球を発射位置へ向けて供給する供給位置とに変換駆動する球送駆動手段とを備えてなるものであり、球送動作では、受入凹部が受入位置から供給位置に変換されることによって、受入位置で受入凹部に遊技球が収容され、該遊技球が供給位置で発射位置へ向けて放出される。
【０００６】
【特許文献１】特開２００６−１０９９７５号公報
【発明の開示】
【発明が解決しようとする課題】
【０００７】
従来のパチンコ機では、球送装置が発射位置へ遊技球を供給する際に、前に供給された遊技球が発射位置に保持されていることがある。このように場合、供給された遊技球と、既に保持されていた遊技球（以下、残存球という。）とが発射位置で重複し、遊技球を正常に発射できなくなる。具体的には、球送装置から供給された遊技球が発射位置で安定する前に打圧動作が行われて当該遊技球がほとんど打圧されなかった場合や、発射装置が一時的に作動不良を起こして打圧動作が行われなかった場合などに残存球が発生し、発射動作に異常が生じることとなる。
【０００８】
本発明は、かかる問題を解決し得るパチンコ機の提供を目的とする。
【課題を解決するための手段】
【０００９】
本発明は、発射レール上の下側端部の発射位置に保持された遊技球を発射する発射装置と、遊技球貯留皿から供給された遊技球を一個ずつ前記発射位置に供給する球送装置と、前記発射装置と前記球送装置の作動を制御し、遊技球を連続して発射可能とする発射制御手段とを備えるパチンコ機において、前記発射位置の側傍に流入口が臨み、該流入口へ流入した遊技球を遊技球貯留皿に流出させる残存球排出路と、前記発射位置に保持された遊技球を前記残存球排出路の流入口へ押し出し可能に配設された球押出部材を具備してなり、前記球送装置によって前記発射位置へ遊技球が供給される際に前記発射位置に既に遊技球が保持されている場合には、遊技球の供給に先立って前記発射位置に保持された遊技球を前記球押出部材によって前記残存球排出路の流入口へ押し出す球押出手段とを備えたことを特徴とするパチンコ機である。
【００１０】
ここで、「遊技球の供給に先立って」とは、球送装置によって供給される遊技球が発射位置に到達するのに先立ってということ意味する。すなわち、球押出手段は、遊技球が球送装置によって発射レール上に放出されてから、該遊技球が発射位置に到達するまでの間に残存球を押し出すものであってもよい。
【００１１】
かかる構成にあっては、残存球が発生した場合に、発射位置へ次の遊技球が供給されるのに先立って残存球が発射位置から押し出されるため、次の遊技球が供給されても発射位置に遊技球が重複せず、発射動作を正常に行うことができる。
【００１２】
発射位置から押し出された遊技球は残存球排出路に流入して、遊技球貯留皿へと流下し、遊技者に返却される。なお、残存球を返却する「遊技球貯留皿」は、球送装置に遊技球を供給する遊技球貯留皿と同じであってもよいし、別の遊技球貯留皿であってもよい。
【００１３】
球押出手段は、残存球排出路の流入口側へ発射位置を通過移動する球押出部材と、該球押出部材を駆動する駆動手段と、該駆動手段を制御して、遊技球の供給に先立って球押出部材が発射位置を通過移動するようにする制御手段とで構成されることが提案される。また、残存球の発生を検知するセンサ等を備えることも提案される。ここで、前記駆動手段はソレノイド等で構成することができ、前記制御手段はマイクロコンピュータ等によって構成できる。
【００１４】
一方で、前記球送装置は、前記発射位置の前上方位置で前後方向に軸支され、遊技球一個を受入可能な大きさの受入凹部を軸周りに少なくとも一つ備える球送部材と、前記受入凹部が、遊技球貯留皿から供給された遊技球を受け入れる受入位置と、受け入れた遊技球を前記発射位置へ向けて供給する供給位置とに変換するように前記球送部材を一方向に回転駆動する球送駆動手段とを備えるものであり、前記球押出部材は、前記球送部材の背面の、前記受入凹部の回転方向側に隣接する位置から後方に突出し、回転方向の反対側に隣接する前記受入凹部が前記球送部材の回転によって前記供給位置へ移動するのに伴って、前記発射位置を前記発射レールの下側端方向に横切って、前記発射位置へ遊技球が供給される際に前記発射位置に既に保持されている遊技球を前記発射レールの下側端から落下させるように移動するものであり、前記残存球排出路の流入口は、前記発射レールの下側端の下方に設けられている構成が提案される。
【００１５】
かかる構成では、球送部材が軸周りに受入凹部を備える回転体からなり、球送部材の背面に配設された球押出部材が球送部材とともに回転移動する。また、球押出部材は、受入凹部に回転方向側から隣接する位置に配設されており、該受入凹部が受入位置から供給位置に移動するのに伴って、球押出部材が発射位置を横切るように移動するようになっている。したがって、本構成によれば、発射位置に残存球が発生した場合でも、受入凹部が供給位置に変換して発射位置に新たな遊技球が供給される前に、球押出部材によって残存球を発射位置から押し出すことができる。また本構成では、球押出部材は球送部材の駆動手段によって駆動するものであり、且つ、球送部材と一体的に移動するものであるから、残存球を押し出すための駆動手段や制御手段を新たに設けることを要せず、簡単な構成によって実現できる。
【００１６】
さらに、上記構成にあって、前記球押出部材は、回転方向の反対側に隣接する前記受入凹部が前記供給位置に位置する時に、前記発射レールの下側端から落下しないように前記発射位置に供給される遊技球を前記発射位置に係止する位置に位置するものであり、前記発射制御手段は、前記受入凹部が前記供給位置に移動した後に、前記供給位置の前記受入凹部から放出された遊技球が前記発射装置によって発射されるまで、前記球送部材の回転を停止させるように前記球送駆動手段を制御するものである構成が提案される。
【００１７】
かかる構成によれば、発射位置に供給された遊技球は、発射装置によって発射されるまで球押出部材によって発射位置に保持されることとなる。すなわち、本構成は、受入凹部が供給位置に変換された際に、発射位置近傍に位置することとなる球押出部材を利用して遊技球を発射位置に保持するようにしたものである。したがって、本構成では、遊技球を発射位置に保持する機構を簡略化できる。また、遊技球を発射位置に係止している球押出部材は、受入凹部が供給位置から退避するのに伴って発射位置の遊技球を係止しない位置に移動することとなり、受入凹部が受入位置から供給位置に移動している時は遊技球を発射位置に係止しない。かかる構成によれば、球押出部材が残存球を押し出す際に残存球が発射位置に係止されていないため、該残存球を速やかに発射位置から押し出すことができる。
【００１８】
また、前記球送装置は、前記発射位置の前方に軸支され、遊技球一個を受入可能な大きさの受入凹部を軸周りに一つ備える球送部材と、前記受入凹部が、遊技球貯留皿から供給された遊技球を受け入れる受入位置と、受け入れた遊技球を前記発射位置へ向けて供給する供給位置とに変換するように前記球送部材を往復傾動させる球送駆動手段とを備えるものであり、前記球押出部材は、前記球送部材と連繋し、前記受入凹部が前記受入位置にある状態で前記発射位置の直前方に退避する退避位置に位置し、前記受入凹部が前記供給位置に移動するのに伴って前記退避位置から前記発射位置へ進出して、前記発射位置に既に保持されている遊技球を前記残存球排出路の流入口へ押し出すものであり、前記発射制御手段は、前記供給位置へ移動した前記受入凹部から前記発射レール上へ遊技球が放出された後に、該受入凹部が前記受入位置に復帰するよう前記球送駆動手段を制御して、放出された遊技球が前記発射位置に到達する前に前記球押出部材を前記退避位置に変換させるものである構成も提案される。
【００１９】
かかる構成にあっては、球送部材が往復傾動するものであり、球押出部材は球送部材と連繋し、受入凹部が供給位置に変換するのに伴って発射位置へ進出する。したがって、本構成によれば、発射位置に残存球が発生した場合でも、受入凹部が供給位置に変換して発射位置に新たな遊技球が供給される前に、球押出部材によって残存球を発射位置から押し出すことができる。また、発射位置に進出した球押出部材は、受入凹部から放出された遊技球が発射位置に到達する前に発射位置から退避するため、新たに供給される遊技球の邪魔になることもない。
【発明の効果】
【００２０】
以上に述べたように、本発明は、発射位置の側傍に流入口が臨み、該流入口へ流入した遊技球を遊技球貯留皿に流出させる残存球排出路と、球送部材によって発射位置へ遊技球が供給される際に発射位置に既に遊技球が保持されている場合には、遊技球の供給に先立って発射位置に保持された遊技球を残存球排出路の流入口へ押し出す球押出手段とを備えたことを特徴とするパチンコ機であるから、残存球が発生した場合でも、次の遊技球を発射位置に供給する前に残存球を排出することができる。このため、かかるパチンコ機では発射動作に異常が生じ難く、遊技者は発射動作の不具合に煩わされることなく遊技を楽しむことができる。
【００２１】
また、かかる構成にあって、球押出部材を球送部材と連繋させて、球押出部材を球送部材と同期して移動させるようにした場合には、駆動手段や制御手段を新たに設けることなく、簡単な構成によって残存球を排除できる。
【００２２】
また、発射位置に供給された遊技球を、球押出部材によって発射位置に係止するようにした場合には、遊技球を発射位置に保持する機構を簡略化できるとともに、残存球の押出しを円滑に行うことが可能となる。
【発明を実施するための最良の形態】
【００２３】
本発明の実施形態を、以下の実施例に従って説明する。
本実施例のパチンコ機１は、図１，２に示すように、遊技島設備に固定される木製の外枠２と、該外枠２の開口部分に取り付けられた遊技機本体３とから構成されている。
【００２４】
遊技機本体３は、板状の本体枠５を備え、この本体枠５が上記外枠２にヒンジ部材４を介して枢着されている。この本体枠５の前面側には前枠扉６が開閉可能に配設されており、本体枠５の背面側には裏機構板７が配設されている。
【００２５】
本体枠５には、上部から中央部にかけて合板製の遊技盤８が取り付けられている。この遊技盤８の前面にはガイドレール１３が取り付けられており、該ガイドレール１３によって略円形の遊技領域１２と、発射された遊技球を遊技領域１２に案内する案内通路２０が区画される。遊技領域１２内には遊技釘や入賞装置、液晶装置等の遊技部品が配設される。
【００２６】
また、本体枠５の前面下部には、図１，２に示すように、樹脂材からなる下部パネル２３が設けられており、この下部パネル２３の前面下部中央に余剰の遊技球を貯留する下部遊技球貯留皿１１が配設されている。下部パネル２３には、下部遊技球貯留皿１１内を臨む位置に球放出口２４が開口しており、該球放出口２４から下部遊技球貯留皿１１内に遊技球が放出される。また、下部遊技球貯留皿１１の底部には遊技球排出用の球抜孔２５が形成されており、下部遊技球貯留皿１１の底部に設けられた球抜スライダ２６を移動操作すると球抜孔２５が開放し、下部遊技球貯留皿１１の遊技球を下方へ排出可能となる。
【００２７】
また、図２〜４に示すように、下部パネル２３前面の、下部遊技球貯留皿１１の上方位置には、金属板からなる発射機構板１６が配設される。この発射機構板１６には、金属製の発射レール１８や、遊技球を発射する発射装置１５が配設される。
【００２８】
図２〜４に示すように、発射レール１８は、断面Ｍ字状に成形された金属板よりなるものであり、発射機構板１６の前面に所定角度で左上がりに固定され、その左上端が、前記案内通路２０の入口方向を臨むようになっている。遊技球ｘを発射する発射位置Ｐは、この発射レール１８上の右下端部に規定されており、発射された遊技球ｘは、発射レール１８の上面の溝部に沿って左上方に案内される。また、発射レール１８の右端部には金属板からなる球止部材４８が固定されている。この球止部材４８は、発射レール１８上面の溝部よりも上方に突出しており、発射位置Ｐの遊技球ｘが右下方に転がり落ちないよう係止する。
【００２９】
発射装置１５は、遊技球を打圧する発射鎚１７と、該発射鎚１７を駆動する発射用ソレノイド１９からなる。発射用ソレノイド１９は、ロータリーソレノイドからなるものであり、発射機構板１６の背面に固定される。この発射用ソレノイド１９の回転軸杆は発射機構板１６を貫通して前面側に突出しており、該回転軸杆の先端に発射鎚１７が固定される。発射鎚１７は、先端の打撃部が右方から発射位置Ｐに臨むように設置されている。発射用ソレノイド１９は、後述する裏機構板７に配設された発射制御基板８０（図１０参照）に接続されており、該発射制御基板８０から入力した信号に従って、発射鎚１７の打撃部が発射位置Ｐの右方に退避する位置（図４（ａ）参照）と、打撃部が発射位置Ｐにある遊技球ｘを打圧する位置（図４（ｂ）参照）とに発射鎚１７を往復駆動する。
【００３０】
かかる構成によれば、後述の球送装置５０によって発射位置Ｐに送り出された遊技球は、球止部材４８によって発射位置Ｐに保持され、発射装置１５の作動によって左上方に発射されることにより、前記案内通路２０を通って遊技領域１２の上部に放出されることとなる。
【００３１】
また、図２に示すように、案内通路２０の入口と発射レール１８との間隙の下方位置には、遊技領域１２に達せずに戻ってきた遊技球を排出するためのファール口２１が上向きに開口している。このファール口２１に流入した遊技球は、図示しない球通路を通って球放出口２４から下部遊技球貯留皿１１に排出される。
【００３２】
また、図２に示すように、本体枠５の下部に設けられた下部パネル２３には、排出球連通口２７が上向きに開口している。この排出球連通口２７は、球放出口２４の直上流に連通するとともに、前枠扉６の閉止状態で後述する球送装置５０の球排出口６０と上下に対向するものであり、球排出口６０から排出された遊技球が、この排出球連通口２７を介して下部遊技球貯留皿１１へ排出される。また、図２，４に示すように、下部パネル２３には、発射位置Ｐから押し出された遊技球を下部遊技球貯留皿１１へ流下させる残存球排出路４４が配設されている。この残存球排出路４４の流入口２２は、発射レール１８の右下端の下方に開口しており、発射レール１８の右下端から落下した遊技球が該流入口２２から残存球排出路４４に流入するようになっている。一方、残存球排出路４４の下流側は球放出口２４の直上流部と連通しており、前記流入口２２から流入した遊技球は球放出口２４を介して下部遊技球貯留皿１１へ排出されることとなる。
【００３３】
下部遊技球貯留皿１１の右方には発射ハンドル２８が突設される。発射ハンドル２８の外周部には回動操作可能な発射レバー２９が設けられており、発射ハンドル２８の内部には、発射レバー２９の回動角度を検知する回動量検知センサ８１が配設される。この回動量検知センサ８１は、上記発射用ソレノイド１９等の作動を制御する発射制御基板８０（図１０参照）に接続されており、発射レバー２９が回動操作されると回動量検知センサ８１が発射制御基板８０に信号を出力し、この信号に基づいて発射制御基板８０が発射用ソレノイド１９を駆動制御して発射位置Ｐにある遊技球を発射する。
【００３４】
また、上記した裏機構板７は、図１，２に示すように、本体枠５の背面側に取り付けられており、その上部には、遊技島設備から供給される遊技球を貯留する球タンク３０が設けられる。また、球タンク３０の下方位置には、球タンク３０の遊技球を払い出すための払出装置や球通路が配設される（図示省略）。さらに、裏機構板７には、遊技全般を制御する主制御基板７９（図１０参照）や発射動作を制御する発射制御基板８０（図１０参照）等の各種基板が夫々設けられている。
【００３５】
一方、上記した前枠扉６は、図１，２に示すように、その左側縁がヒンジ部材３２によって本体枠５に枢着されている。ここで、前枠扉６は、上記した下部遊技球貯留皿１１より上の領域をほぼ全体的に前面から覆うように設けられており、閉止状態で、上記した遊技盤８及び発射機構板１６等を前方から覆うようになっている。
【００３６】
この前枠扉６の中央には、透明板３３を保持する略円形の遊技領域開口部３４が形成されており、前枠扉６を閉止した状態で、該遊技領域開口部３４を介して、上記した遊技盤８の遊技領域１２を前方から視認可能となっている。
【００３７】
また、前枠扉６の下部前面には、上部遊技球貯留皿１０が配設されており、該上部遊技球貯留皿１０内の左側位置に、上部遊技球貯留皿１０へ遊技球を供給するための球払出口３６が開口している。上部遊技球貯留皿１０の右側内部には、遊技球を整列する整列部３８が形成されており、該整列部３８の右端には、前枠扉６の背面側に遊技球を流出させる球流出口（図示省略）が開口している。そして、この上部遊技球貯留皿１０の内底面は、遊技球が整列部３８を流下して球流出口から流出するように右方向へ下方傾斜している。また、上部遊技球貯留皿１０の右上縁部には、後述する球送装置５０から遊技球を排出するための球抜ボタン４２が押圧操作可能に配設されている。
【００３８】
前枠扉６の背面側には、遊技領域開口部３４の下方部位に補強用の裏パネル板４０が固定される。そして、この裏パネル板４０の背面に、上記した球流出口から流出した遊技球を、発射位置Ｐに一個ずつ送り出す球送装置５０が配設されている。
【００３９】
上記した球送装置５０について説明する。球送装置５０は、図５に示すように、裏パネル板４０の背面に取り付けられる金属製の取付板５１と、該取付板５１の背面に固定され、上部遊技球貯留皿１０から流出した遊技球を一列に整列させて流下させる整流部５２と、該整流部５２から発射位置Ｐへ遊技球を一個ずつ送り出す球送機構部５３とを備えてなる。
【００４０】
整流部５２は、図５，６に示すように、樹脂製の筐体５５を主体とするものである。筐体５５の前面上部には、上述した上部遊技球貯留皿１０の球流出口と連通する取込流入口５７が形成されており、上部遊技球貯留皿１０から流出した遊技球ｘは、この取込流入口５７から筐体５５内に流入する。また、図６に示すように、筐体５５の右側壁には球送出口５９が開口しており、筐体５５内には、取込流入口５７と球送出口５９とを連通する球誘導路５８が形成される。かかる構成によれば、取込流入口５７から流入した遊技球ｘは、球誘導路５８を右下方に一列に流下して球送出口５９から筐体５５外に流出することとなる。
【００４１】
また、図６に示すように、球誘導路５８の底面には、取込流入口５７から流入した遊技球ｘを下部遊技球貯留皿１１へ排出するための球抜口６２が開口しており、筐体５５内には、球抜口６２から筐体５５の底壁部に開口する球排出口６０とを連通する球抜通路６１が設けられている。また、筐体５５内には、左右に摺動可能に保持されて、球抜口６２を開閉する球抜開閉片５６が配設される。この球抜開閉片５６は、図示しないバネによって球抜口６２を閉鎖する位置に付勢されるとともに、上述の球抜ボタン４２と機械的に連繋し、球抜ボタン４２が押し下げ操作されると、付勢力に抗して球抜口６２を開放する位置へ移動する。すなわち、球抜ボタン４２が操作されない限り球抜口６２は閉鎖状態であり、取込流入口５７から流入した遊技球ｘは球送出口５９へと案内される。そして、球抜ボタン４２が操作された場合には球抜口６２が開放状態となり、取込流入口５７から流入した遊技球ｘが球抜口６２から流出し、球排出口６０から筐体５５外に排出される。そして、排出された遊技球は、上述した排出球連通口２７へ流入して下部遊技球貯留皿１１に放出されることとなる。
【００４２】
球送機構部５３は、前記球誘導路５８から発射位置Ｐへ遊技球ｘを一個ずつ送り出す球送部材６５と、該球送部材６５を回転駆動する球送用モータ６６とを備えてなる。
【００４３】
球送用モータ６６は、ステッピングモータからなるものであり、図５に示すように、取付板５１の前面の右側部に固定される。図８に示すように、この球送用モータ６６の回転軸杆７４は、取付板５１を貫通して取付板５１の背面側に突出しており、該回転軸杆の先端部に球送部材６５が固定される。また、球送用モータ６６は、後述する発射制御基板８０（図１０参照）に接続されており、発射制御基板８０から送信されるパルス信号に従って回転軸杆７４を一方向に回転させ、球送部材６５を回転させる。本発明における球送駆動手段は、この球送用モータ６６によって構成される。
【００４４】
球送部材６５は、図９に示すように、背面視円形をなす肉厚円板状樹脂片であり、その中心には、球送用モータ６６の回転軸杆７４と嵌合する軸孔７３が前後に貫設される。球送部材６５の外周部には切欠状の受入凹部７１が形成される。この受入凹部７１は、遊技球一個を収容可能な大きさをなし、正面、背面及び外周側の開口部から遊技球を内部に受入可能となっている。また、受入凹部７１の内周面には、内部に受け入れた遊技球を後方に案内する案内面７２が形成されている。また、球送部材６５の受入凹部７１が形成されていない外周部分は、球送出口５９から遊技球が流出しないように支持する流下阻止部７０を構成する。また、球送部材６５の背面には、球押出部材６８が後方に突設される。この球押出部材６８については後述する。
【００４５】
球送部材６５は、図５〜８に示すように、前記軸孔７３を球送用モータ６６の回転軸杆７４に外嵌させることにより、軸孔７３を中心にして取付板５１の背面に沿って回転可能に保持される。かかる構成によれば、図６に示すように、球送部材６５は、整流部５２の球送出口５９に図中、左下方から隣接しており、球送部材６５を回転させて受入凹部７１を球送出口５９に対向させると、球誘導路５８にある遊技球ｘを受入凹部７１内に受入可能となる。すなわち、このように受入凹部７１が球送出口５９と対向する位置α１が、本発明における受入凹部の受入位置である。
【００４６】
また、図７，８に示すように、前枠扉６を閉じた状態では、球送装置５０が発射レール１８の正面に位置し、球送部材６５は発射位置Ｐの前上方位置で前後方向に軸支されるかたちとなる。かかる状態では、図７に示すように、球送部材６５を回転させて受入凹部７１を図中、軸孔７３の右下方に位置させると、受入凹部７１の背面側開口部が発射位置Ｐの直前方に位置することととなり、前記案内面７２の案内作用によって受入凹部７１内の遊技球ｘを発射位置Ｐに放出可能となる。すなわち、このように受入凹部７１が発射位置Ｐの直前方に位置することとなる位置β１が、本発明における受入凹部の供給位置である。
【００４７】
球送用モータ６６は、球送部材６５を、背面側から見て時計回り（図６，７中、矢印方向）に回転させるものであり、受入凹部７１が上記受入位置α１にある状態から球送部材６５を９０°回転させると受入凹部７１が供給位置β１に変換し、受入凹部７１が上記供給位置β１にある状態から球送部材６５を２７０°回転させると受入凹部７１が受入位置α１に変換することとなる。
【００４８】
また、図５〜７に示すように、前記筐体５５の右外側部には、球送部材６５の外周面に沿って湾曲する球支持壁部７５が右下方に延成されている。この球支持壁部７５は、受入凹部７１が供給位置β１ある状態で該受入凹部７１の外周側開口部を閉塞し、受入凹部７１内の遊技球が背面側開口部側から放出されるようにする。また、図５，７に示すように、筐体５５の背面の右側縁部には、受入位置α１にある受入凹部７１を背面側から閉塞し、収容した遊技球が背面側開口部から放出しないよう支持するカバー部材６７が配設される。なお、このカバー部材６７は、球押出部材６８の回転を阻害しないように、筐体５５の右側縁部から後方へ迂回するようにして受入凹部７１の背面側開口部を閉塞している。また、受入凹部７１の前面側開口部は、取付板５１によって常時閉塞されている。
【００４９】
かかる構成によれば、球送部材６５が回転して受入凹部７１が受入位置α１に位置すると外周側開口部を介して整流部５２から受入凹部７１に遊技球一個が流入し、球送部材６５がさらに回転して受入凹部７１が供給位置β１に位置すると、受入凹部７１に収容された遊技球ｘが背面側開口部から発射レール１８上に放出されて、発射位置Ｐに保持されることとなる。
【００５０】
次に、本発明の要部に係る球押出部材６８について説明する。
球押出部材６８は、図９に示すように、球送部材６５の背面の外周縁から直後方に突設される杆状部材であり、球送部材６５と一体的に形成されている。また、この球押出部材６８は、受入凹部７１の背面側開口部に回転方向側から隣接する位置に突設されている。
【００５１】
球押出部材６８は、図７，８に示すように、前枠扉６を閉じた状態で発射レール１８の上方領域に突出しており、球送部材６５の回転に伴って発射レール１８の上方で軸孔７３を中心に円運動をする。ここで、球押出部材６８は、上述のように、受入凹部７１に回転方向側から隣接する位置に突設されているため、図６，７に示すように、受入凹部７１が受入位置α１から供給位置β１へ移動するのに伴って、球押出部材６８が発射位置Ｐを発射レール１８の下側端部方向に横切るように移動する。かかる構成によれば、球押出部材６８が発射位置Ｐを横切る際に発射位置Ｐに遊技球ｘが保持されていれば、該遊技球ｘは、球押出部材６８によって右下方に押圧され、球止部材４８を乗り越えて発射レール１８の下流端から落下することとなる。
【００５２】
図１０は、遊技球の発射制御に係る制御回路を示したものである。
【００５３】
マイクロコンピュータを構成する発射制御基板８０には、パチンコ機１の発射動作等を制御するための基板回路が設けられている。この発射制御基板８０は、発射動作の統括的な制御を実行するものであり、本発明に係る発射制御手段は、主にこの発射制御基板８０により実現される。この基板回路上には、発射制御用中央制御装置ＣＰＵが配設されている。この発射制御用中央制御装置ＣＰＵには、演算処理に用いる動作プログラムを格納する記憶装置ＲＯＭと、必要なデータを随時読み書きできる記憶装置ＲＡＭとが、データを読み書きするアドレスを指定する情報を一方的に伝えるアドレスバス（図示省略）と、データのやり取りを行うデータバス（図示省略）を介して接続され、発射制御基板８０の基板回路を構成している。
【００５４】
さらに、この発射制御基板８０の基板回路には、所定のクロックパルスを出力するクロック装置（図示省略）が設けられ、発射制御用中央制御装置ＣＰＵに接続されている。そして発射制御用中央制御装置ＣＰＵは、一定間隔のクロックパルスによって時系列的に演算処理を行い、一連の処理作動を順次実行する。また、このクロック装置により出力されたクロックパルスをカウントして、時間を計測するタイマＴＭも接続されている。
【００５５】
また、この発射制御基板８０の基板回路には、発射制御用中央制御装置ＣＰＵが周辺機器とデータ通信を行う入力ポート（図示省略）及び出力ポート（図示省略）が設けられている。出力ポートには、発射用ソレノイド１９や球送用モータ６６が接続されている。そして、発射制御基板８０は、この出力ポートを介して、発射用ソレノイド１９へ電気信号を出力し、その通電状態を切り替えることによって発射鎚１７を回動させる。また、発射制御基板８０は、出力ポートを介して、球送用モータ６６へパルス信号を出力し、球送用モータ６６を回転駆動させることによって、球送部材６５を所要角度回転させる。一方、入力ポートには、遊技を統括的に制御する主制御基板７９や上述した回動量検知センサ８１が接続されている。発射制御基板８０は所定時間ごとに回動量検知センサ８１からの検知信号及び主制御基板７９からの制御信号を調べ、これらの信号に基づいて発射用ソレノイド１９等を制御する。
【００５６】
以下に、遊技球の発射動作に伴う発射装置１５と球送装置５０の作動態様を、図１１を用いて説明する。
【００５７】
図１１（ａ）は、球送装置５０によって発射位置Ｐに遊技球ｘが供給された後の状態である。かかる状態では、供給された遊技球ｘが球止部材４８によって発射位置Ｐに保持されており、また、発射鎚１７が発射位置Ｐの右方に退避している。そして、受入凹部７１は既に受入位置α１に復帰しており、受入凹部７１には整流部５２から新たな遊技球ｘが収容されている。
【００５８】
発射制御基板８０は、上記状態から発射用ソレノイド１９を通電状態に変換することにより発射鎚１７を回動し、発射鎚１７先端の打撃部によって発射位置Ｐの遊技球ｘを発射する（図１１（ｂ）参照）。発射された遊技球ｘは発射レール１８上を斜め上方に案内され、発射レール１８の上側端部から案内通路２０に飛入して、案内通路２０を介して遊技領域１２へ放出されることとなる。
【００５９】
遊技球ｘを発射すると、発射制御基板８０は、発射用ソレノイド１９を非通電状態に変換し、発射鎚１７の打撃部を発射位置Ｐから退避させる（図１１（ｃ）参照）。
【００６０】
続いて、発射制御基板８０は、球送用モータ６６にパルス信号を送信し、図１１（ｄ）に示すように、図中、矢印方向に球送部材６５を９０°回転させ、さらに、所定時間（ここでは０．２秒）球送用モータ６６を停止させる。これにより、受入凹部７１が受入位置α１から供給位置β１へ移動して、受入凹部７１に収容されていた遊技球ｘが発射レール１８上へ放出されることとなる。
【００６１】
発射制御基板８０は、球送用モータ６６を所定時間停止させると、図１１（ａ）に示すように、球送用モータ６６にパルス信号を送信して、図中、矢印方向に、球送部材６５を２７０°回転させる。これにより、受入凹部７１が供給位置β１から受入位置α１へ移動し、受入凹部７１には整流部５２から新たな遊技球ｘが流入することとなる。また、受入凹部７１から発射レール１８上に放出された遊技球ｘは、発射位置Ｐに到達して球止部材４８によって保持されることとなる。
【００６２】
このように、発射制御基板８０は、発射用ソレノイド１９及び球送用モータ６６を作動させて、上記図１１（ａ）〜１１（ｄ）のステップを繰り返すことによって遊技球ｘを連続して発射する。かかる発射動作は、発射ハンドル２８が操作されると、一分間に約１００回繰り返される。
【００６３】
次に、上記球押出部材６８による残存球の押出動作について説明する。上述したように、球押出部材６８は、球送部材６５の回転に伴って受入凹部７１とともに回転運動し、受入凹部７１が受入位置α１から供給位置β１へ移動する時に、発射位置Ｐを発射レール１８の右下端方向に横切るように移動する（図１１（ｃ），１１（ｄ）参照）。また、受入凹部７１が供給位置β１から受入位置α１に移動する時には、球押出部材６８は、発射位置Ｐを横切らず、軸孔７３の右上方を経由して、発射位置Ｐの左上方に変位する（図１１（ｄ），１１（ａ）参照）。
【００６４】
かかる構成によれば、発射動作中に発射制御基板８０が誤作動を起こし、図１２（ａ）に示すように、発射位置Ｐに供給された遊技球ｘ’が発射されずに発射位置Ｐに残存した場合、図１２（ｂ）に示すように、受入凹部７１が受入位置α１から供給位置β１へ変換して次の遊技球ｘが発射位置Ｐに供給されるのに先立って、球押出部材６８が残存球ｘ’を発射レール１８の右下端へ押し出して残存球排出路４４の流入口２２へと落下させる。残存球排出路４４に流入した残存球は、上述のように下部遊技球貯留皿１１へ流下して、遊技者に返却されることとなる（図２，４参照）。したがって、本構成にあっては、受入凹部７１から発射レール１８上に放出される遊技球ｘは、残存球ｘ’と干渉することなく発射位置Ｐに正常に保持されて、発射装置１５によって遊技領域１２へ正常に発射されることとなる。
【００６５】
このように、本実施例のパチンコ機１では、発射位置に次の遊技球を供給するのに先立って残存球が発射位置から押し出されるため、発射位置に供給される遊技球と残存球とが発射位置で重複せず、発射動作に不具合が生じ難いという利点がある。
【００６６】
また、本実施例のパチンコ機１は、球送部材６５と一体的に回転する球押出部材６８によって残存球ｘ’を押し出すものであるため、残存球を押し出すための駆動手段を球送用モータ６６によって構成することができ、また、複雑な制御を行うことなく、遊技球の供給に先立って残存球を押し出すことができる。このように、本実施例によれば、球押出部材の駆動手段や制御手段を別途設けることなく、簡単な構成によって残存球を適切に排除できるという利点がある。
【００６７】
＜第二実施例＞
本実施例は、球押出部材によって遊技球を発射位置に保持するようにしたことを特徴とする。なお、残存球排出路等の構成は第一実施例と同じであり、第一実施例と同じ構成の部分は符号を共通させて説明を省略する。
【００６８】
図１３に示すように、本実施例の球送装置５０ａは、金属製の取付板５１と、該取付板５１の背面に固定され、上部遊技球貯留皿１０から流出した遊技球を一列に整列させて流下させる整流部５２と、該整流部５２から発射位置Ｐへ遊技球を一個ずつ送り出す球送機構部５３ａとを備えてなる。取付板５１及び整流部５２は、第一実施例と同じものである。
【００６９】
球送機構部５３ａは、整流部５２から発射位置Ｐへ遊技球ｘを一個ずつ送り出す球送部材６５ａと、該球送部材６５ａを回転駆動する球送用モータ６６とを備えている。球送用モータ６６は、第一実施例と同じものである。
【００７０】
球送部材６５ａは、図１７に示すように、第一実施例の球送部材６５と同じ大きさの背面視円形をなす肉厚円板状樹脂片であり、その中心には、球送用モータ６６の回転軸杆７４と嵌合する軸孔７３が前後に貫設されている。球送部材６５ａの外周部には、四つの受入凹部７１が外周に沿って等間隔に形成されている。各受入凹部７１は第一実施例と同形状をなすものであり、正面、背面及び外周側の開口部から遊技球を内部に受入可能となっている。また、球送部材６５の外周部の、受入凹部７１が形成されていない部分は、球送出口５９から遊技球が流出しないように支持する流下阻止部７０ａを構成する。また、球送部材６５ａの背面には、後述する球押出部材６８ａが後方に突設されている。
【００７１】
図１３〜１６に示すように、球送部材６５ａは、第一実施例の球送部材６５同様に球送用モータ６６の回転軸杆７４に軸支されており、前枠扉６を閉じた状態で、発射位置Ｐの前上方位置で回転するようになっている。かかる構成によれば、球送部材６５ａが回転すると、各受入凹部７１が、球送出口５９と対向して球誘導路５８から遊技球ｘを受入可能となる受入位置α２と、発射位置Ｐの直前方に位置して受け入れた遊技球ｘを発射位置Ｐへ放出可能となる供給位置β２とに変換することとなる。また、各受入凹部７１は球送部材６５の軸周りに９０°間隔に形成されており、一つの受入凹部７１が受入位置α２に位置した状態で、他の受入凹部７１が供給位置β２に位置するようになっている。
【００７２】
また、図１３〜１５に示すように、筐体５５の右外側部には、供給位置β２にある受入凹部７１の外周側開口部を閉塞する球支持壁部７５が右下方に延成される。また、
筐体５５の背面の右側縁部には、受入位置α２にある受入凹部７１の背面側開口部を閉塞するカバー部６７ａが右方に延成されている。
【００７３】
かかる構成によれば、受入凹部７１が、夫々受入位置α２と供給位置β２に位置している状態で、球送部材６５ａが背面側から見て時計回り（図１４，１５中、矢印方向）に９０°回転すると、受入位置α２の受入凹部７１が供給位置β２に変換し、該受入凹部７１に収容されていた遊技球ｘが発射位置Ｐへ放出されることとなる。また、これとともに、別の受入凹部７１が受入位置α２へ移動して、該受入凹部７１に新たな遊技球が収容される。すなわち、本実施例の球送装置５０は、球送部材６５ａを９０°回転させることにより球送動作を行うものである。
【００７４】
球押出部材６８ａは、第一実施例の球押出部材６８と同じ杆状をなすものであり、図１７に示すように、球送部材６５ａの背面から直後方に向けて四本突設されている。各球押出部材６８ａは、各受入凹部７１の背面側開口部に挟まれた位置に配設されており、その回転方向側及びその反対方向側に受入凹部７１が隣接している。また、各球押出部材６８ａは、球送部材６５ａ背面の外周縁と軸孔７３との中間位置に突設されている。
【００７５】
各球押出部材６８ａは、図１５，１６に示すように、前枠扉６を閉じた状態では、発射レール１８ａの上方領域に突出しており、球送部材６５ａの回転に伴って、発射レール１８の上方で、軸孔７３を中心に夫々同じ軌道上を円運動する。
【００７６】
ここで、球押出部材６８ａは、上述のように、各受入凹部７１に回転方向側から隣接する位置に突設されているため、図１４，１５に示すように、受入凹部７１が受入位置α２から供給位置β２へ回転する際には、受入凹部７１が供給位置β２に到達するのに先立って、球押出部材６８ａが発射位置Ｐを発射レール１８ａの右下端方向に横切るように移動する。すなわち、球押出部材６８ａが発射位置Ｐを横切る際に発射位置Ｐに遊技球ｘがあれば、該遊技球ｘは球押出部材６８ａに右下方に押圧されて発射レール１８ａの下流端から落下することとなる。
【００７７】
また、各球押出部材６８ａは、図１５に示すように、回転方向の反対側に隣接する受入凹部７１が供給位置β２に位置した状態で発射位置Ｐの右上側傍に位置し、発射位置Ｐの遊技球ｘが発射位置Ｐから落下しないよう係止できるようになっている。また、このように球押出部材６８ａが遊技球ｘを発射位置Ｐに係止した状態で、球押出部材６８ａと発射レール１８ａの間から発射鎚１７が遊技球ｘを打圧できるようになっている。ここで、本実施例の発射レール１８ａには、図１５，１６に示すように、右下端に球止部材が配設されておらず、発射位置Ｐの上記右上側傍に球押出部材６８ａが位置していない場合には、遊技球ｘは発射位置Ｐに係止されず発射レール１８ａの右下端まで流下することとなる。
【００７８】
以下に、遊技球の発射動作に伴う発射装置１５と球送装置５０ａの作動態様を、図１８を用いて説明する。
【００７９】
図１８（ａ）は、球送装置５０ａによって発射位置Ｐに遊技球ｘを供給した後の状態である。かかる状態では、発射位置Ｐにある遊技球ｘを受け入れていた受入凹部７１が供給位置β２に留まっており、受入位置α２にある受入凹部７１は整流部５２から遊技球ｘ受け入れている。また、発射鎚１７は発射位置Ｐの右方に退避しており、送り出された遊技球ｘは、発射位置Ｐの右上側傍に位置する球押出部材６８ａによって発射位置Ｐに係止されている。
【００８０】
発射制御基板８０は、上記状態から発射用ソレノイド１９を通電状態に変換することにより発射鎚１７を回動し、発射鎚１７先端の打撃部によって発射位置Ｐの遊技球ｘを発射する（図１８（ｂ）参照）。
【００８１】
遊技球ｘを発射すると、発射制御基板８０は、発射用ソレノイド１９を非通電状態に変換し、発射鎚１７の打撃部を発射位置Ｐから退避させる（図１８（ｃ）参照）。
【００８２】
続いて、発射制御基板８０は、球送用モータ６６にパルス信号を送信し、図１８（ａ）に示すように球送部材６５ａを９０°回転させる。これにより、受入位置α２にあった受入凹部７１が供給位置β２へ移動して、該受入凹部７１に収容されていた遊技球ｘが発射レール１８ａ上へ放出され、発射位置Ｐへと供給される。また、供給位置β２にあった受入凹部７１は右下方に移動し、さらに、右上方にあった受入凹部７１が受入位置α２に移動して、当該受入凹部７１に新たな遊技球ｘが収容される。
【００８３】
このように、本実施例では、発射制御基板８０は、発射用ソレノイド１９及び球送用モータ６６を作動させて、上記図１８（ａ）〜１８（ｃ）のステップを繰り返すことによって遊技球ｘを連続して発射する。
【００８４】
次に、上記球押出部材６８ａによる残存球の押出動作について説明する。上述したように、各球押出部材６８ａは、球送部材６５ａの回転に伴って受入凹部７１とともに回転運動する。そして、各球押出部材６８ａは、回転方向と反対方向側から隣接する受入凹部７１が受入位置α２から供給位置β２へ移動する時に、発射位置Ｐを発射レール１８ａの右下端方向に横切るように移動する（図１８（ｃ），１８（ａ）参照）。また、当該受入凹部７１が供給位置β２に位置した状態で発射位置Ｐの右上側傍に位置し、当該受入凹部７１から放出された遊技球ｘを発射位置Ｐに係止する（図１８（ａ）参照）。また、球押出部材６８ａは、当該受入凹部７１が供給位置β２から回転する時には、遊技球ｘを発射位置Ｐに係止しない右上方位置に退避する（図１８（ａ）参照）。
【００８５】
かかる構成によれば、発射動作中に発射制御基板８０が誤作動を起こし、発射位置Ｐに供給された遊技球ｘ’が発射されずに発射位置Ｐに残存した場合、図１８（ｄ）に示すように、受入位置α２の受入凹部７１が供給位置β２へ変換して新たな遊技球ｘが発射位置Ｐに供給されるのに先立って、当該受入凹部７１に回転方向側から隣接する球押出部材６８ａが残存球ｘ’を右下方へ押し出して、発射レール１８ａの右下端から落下させる。発射レール１８ａから落下した遊技球ｘは、第一実施例同様に、残存球排出路４４の流入口２２へ流入し、下部遊技球貯留皿１１へ排出されることとなる（図２，４参照）。
【００８６】
なお、本実施例にあっては、図１８（ｄ）に示すように、残存球ｘ’の押出動作時に、残存球ｘ’を発射位置Ｐに係止していた別の球押出部材６８ａが発射位置Ｐの右上方に退避することとなり、残存球ｘ’は該球押出部材６８ａによる係止状態から解放されている。このため、本構成では、残存球ｘ’をスムーズに発射位置Ｐから押し出すことができるという利点がある。
【００８７】
＜第三実施例＞
本実施例は、前後傾動する球送部材と、該球送部材の傾動に伴って発射位置の遊技球を後方に押し出すよう移動する球押出部材を備えることを特徴とする。なお、以下の説明では、第一実施例と同じ構成の部分は符号を共通させて説明を省略する。
【００８８】
図１９に示すように、本実施例の球送装置５０ｂは、金属製の取付板５１ｂと、該取付板５１ｂの背面に固定され、上部遊技球貯留皿１０から流出した遊技球を一列に整列させて流下させる整流部５２ｂと、該整流部５２ｂから発射位置Ｐへ遊技球を一個ずつ送り出す球送機構部５３ｂとを備えてなる。
【００８９】
図１９，２２に示すように、取付板５１ｂは、第一実施例の取付板５１同様に裏パネル板４０の背面に取り付けられるものであり、その形状は、球送機構部５３ｂの形状に合わせて板金加工されている。
【００９０】
図２０に示すように、整流部５２ｂは、第一実施例の整流部５２同様のものであり、上部遊技球貯留皿１０から流出した遊技球ｘは、取込流入口５７から筐体５５ｂ内に流入し、球誘導路５８に沿って一列に流下して、球送出口５９から筐体５５ｂ外に流出することとなる。なお、球送出口５９は、球送機構部５３ｂの構成に合わせて真下に向けて開口している。
【００９１】
球送機構部５３ｂは、球誘導路５８から発射位置Ｐへ遊技球ｘを一個ずつ送り出す球送部材６５ｂと、該球送部材６５ｂを傾動駆動する球送用ソレノイド６６ｂとを備えている。
【００９２】
球送用ソレノイド６６ｂは、ロータリーソレノイドからなるものであり、図１９に示すように、取付板５１の背面の右側部に固定される。この球送用ソレノイド６６ｂの回転軸杆７４ｂは左方に突出している。回転軸杆７４ｂの先端には、球送部材６５ｂ及び球押出部材６８ｂに駆動力を伝達する伝達部８５が固定されている。伝達部８５は、図２３に示すように、球押出部材６８ｂへ駆動力を伝達する大径の歯車と、球送部材６５ｂへ駆動力を伝達する小径の歯車とを軸方向に重ね合わせたものである。
【００９３】
球送部材６５ｂは、図２２に示すように、受入凹部７１ｂを形成する側面略Ｕ字状の受入部８８と、該受入部８８の側面に一体的に連成される歯車部８６とからなる樹脂片である。受入凹部７１ｂは、遊技球一個を収容可能な大きさをなすＵ字状凹部である。受入凹部７１ｂの底面は、後述の供給位置β３で受入凹部７１ｂから後方へ遊技球が放出されるように、滑らかな案内面７２ｂが形成されている。また、受入凹部７１ｂの前上縁部には、受入凹部７１ｂが供給位置β３に位置した状態で遊技球が球送出口５９から流出しないよう支持する流下阻止部７０ｂが配設されている。また、歯車部８６の中心には、筐体５５ｂに軸支される傾動軸７３ｂが右方に突成されている。
【００９４】
図１９，２０に示すように、筐体５５ｂの右側下部には、板状の取付部８４が下方に延出している。球送部材６５ｂは、傾動軸７３ｂを該取付部８４に軸支されることにより、球送出口５９の下方で傾動可能となっている。かかる状態では、図２１，２３（ａ）に示すように、球送部材６５ｂを傾動させて受入凹部７１ｂが上向きとなる位置へ移動させると、受入凹部７１ｂが球送出口５９と対向し、球誘導路５８にある遊技球ｘを受入凹部７１ｂ内に受入可能となる。すなわち、このように受入凹部７１ｂが上方を向くこととなる位置が、本発明における受入凹部の受入位置α３である。
【００９５】
また、図２１，２２に示すように、前枠扉６を閉じた状態では、球送部材６５ｂは発射位置Ｐの前上方左寄り位置に軸支されるかたちとなり、図２３（ｂ）に示すように、球送部材６５を傾動させて受入凹部７１ｂが後方に向く位置に移動させると、受入凹部７１ｂに受け入れた遊技球ｘを、前記案内面７２ｂの案内作用によって発射レール１８上に放出し、該遊技球を発射レール１８上の勾配によって発射位置Ｐに送ることができる。すなわち、このように受入凹部７１が後方に向くこととなる位置が、本発明における受入凹部の供給位置β３である。
【００９６】
球送用ソレノイド６６ｂは、図２３に示すように、上記伝達部８５を球送部材６５ｂの歯車部８６と噛合させており、球送用ソレノイド６６ｂの非通電状態では球送部材６５ｂは、受入凹部７１ｂが受入位置α３に位置する状態に保持される。そして、球送用ソレノイド６６ｂが通電状態となると、球送部材６５ｂは、受入凹部７１ｂが供給位置β３に位置する状態に変換されるようになっている。球送用ソレノイド６６ｂは、第一実施例の球送用モータ６６同様に発射制御基板８０に接続されており（図１０参照）、発射制御基板８０が球送用ソレノイド６６ｂの通電状態を切り替えて球送部材６５ｂを傾動させることによって、受入凹部７１ｂを位置変換できるようになっている。
【００９７】
球押出部材６８ｂは、図２３に示すように、前後に長尺な杆状樹脂片からなるものである。球押出部材６８ｂの右側面には薄板状の摺動突部８９が設けられている。球押出部材６８ｂは、図１９，２１に示すように、前記取付部８４の下端部に前後方向に形成された保持溝９０に摺動突部８９を内嵌させることによって、発射位置Ｐの直前方で前後方向に移動可能に保持される。かかる構成によれば、図２４に示すように、球押出部材６８ｂは、発射位置Ｐの直前方に退避する退避位置γと、その後端部を発射位置Ｐに進出させる押出位置δとに移動することができる。
【００９８】
また、球押出部材６８ｂの上面の前側部分には、球送用ソレノイド６６ｂの伝達部８５と噛合する歯部８７が形成されており、球送用ソレノイド６６ｂの非通電状態では、球押出部材６８ｂが退避位置γに保持され、球送用ソレノイド６６ｂの通電状態では、球押出部材６８ｂが押出位置δに保持されるようになっている。すなわち、本実施例の球押出部材６８ｂは、球送用ソレノイド６６ｂの伝達部８５を介して球送部材６５ｂと連繋することとなり、球送部材６５ｂが受入位置α３に保持された状態で退避位置γに位置し、球送部材６５ｂが供給位置β３に保持された状態で押出位置δに位置することとなる。
【００９９】
一方、本実施例では、図２２に示すように、残存球排出路４４ｂの流入口２２ｂが、発射機構板１６を貫通して発射位置Ｐの直後方位置に開口しており、上記球押出部材６８ｂによって発射位置Ｐから後方に押し出された遊技球が、該流入口２２ｂから残存球排出路４４ｂに流入するようになっている。なお、残存球排出路４４ｂの下流側は、第一実施例同様に下部遊技球貯留皿１１と連通しており、流入口２２ｂから流入した遊技球は下部遊技球貯留皿１１へ排出されることとなる。
【０１００】
以下に、遊技球の発射動作に伴う発射装置１５と球送装置５０ｂの作動態様を、図２４を用いて説明する。
【０１０１】
図２４（ａ）は、球送装置５０ｂによって発射位置Ｐに遊技球ｘが送り出された後の状態である。かかる状態では、送り出された遊技球ｘが球止部材４８によって発射位置Ｐに保持されており、また、発射鎚１７は発射位置Ｐから図中、手前方向に退避している。そして、受入凹部７１ｂは既に受入位置α３に復帰しており、受入凹部７１ｂには新たな遊技球ｘが収容されている。
【０１０２】
発射制御基板８０は、上記状態から発射用ソレノイド１９を通電状態に変換することにより発射鎚１７を回動し、発射鎚１７先端の打撃部によって発射位置Ｐの遊技球ｘを発射する（図２４（ｂ）参照）。
【０１０３】
遊技球ｘを発射すると、発射制御基板８０は、発射用ソレノイド１９を非通電状態に変換し、発射鎚１７の打撃部を発射位置Ｐから図中、手前方向に退避させる（図２４（ｃ）参照）。
【０１０４】
続いて、発射制御基板８０は、球送用ソレノイド６６ｂを通電状態に変換して、図２４（ｄ）に示すように、球送部材６５ｂを後方に４５°傾動させ、さらに、所定時間（０．１秒）球送用ソレノイド６６ｂを通電状態に保持する。これにより、受入凹部７１ｂが受入位置α３から供給位置β３へ移動して、受入凹部７１ｂに収容されていた遊技球ｘが発射レール１８上に放出されることとなる。
【０１０５】
発射制御基板８０は、球送用ソレノイド６６ｂを通電状態に０．１秒保持すると、図２４（ａ）に示すように、球送用ソレノイド６６ｂを非通電状態に変換し、球送部材６５ｂを前方に４５°傾動させる。これにより、受入凹部７１ｂが供給位置β３から受入位置α３へ移動し、受入凹部７１ｂには整流部５２ｂから新たな遊技球ｘが流入することとなる。また、受入凹部７１ｂから発射レール１８上に放出された遊技球ｘは、発射レール１８上を流下して発射位置Ｐへ到達し、球止部材４８によって保持されることとなる。なお、図２４（ｄ）に示すように、球送用ソレノイド６６ｂの通電中は、球押出部材６８ｂが発射位置Ｐに進出することとなるが、受入凹部７１ｂから放出された遊技球ｘは、球送用ソレノイド６６ｂの通電期間中（０．１秒）には発射位置Ｐに到達しないため、当該遊技球ｘは、球押出部材６８ｂが発射位置Ｐから退避した後に、球押出部材６８ｂに阻止されることなく発射位置Ｐに到達し、保持されることとなる。
【０１０６】
次に、上記球押出部材６８ｂによる残存球の押出動作について説明する。上述したように、球押出部材６８ｂは、球送部材６５ｂの傾動に伴って発射位置Ｐに対して進退するようになっており、球送部材６５ｂの受入凹部７１ｂが受入位置α３から供給位置β３に変換するのに伴って発射位置Ｐに進出し、該受入凹部７１ｂが供給位置β３から受入位置α３に変換するのに伴って発射位置Ｐから退避する。
【０１０７】
かかる構成によれば、発射動作中に発射制御基板８０が誤作動を起こし、発射位置Ｐに供給された遊技球ｘ’が発射されずに発射位置Ｐに残存した場合、図２５に示すように、受入凹部７１ｂが受入位置α３から供給位置β３へ変換するのに伴って、球押出部材６８ｂが押出位置δへ移動して残存球ｘ’を発射位置Ｐの後方へ押し出すこととなる。そして、押し出された残存球ｘ’は、残存球排出路４４ｂの流入口２２ｂへと流入し、上述のように下部遊技球貯留皿１１へ排出されて、遊技者に返却されることとなる。また、球押出部材６８ｂは、上述のように、残存球ｘ’を押し出した後、次の遊技球ｘが発射位置Ｐに到達する前に退避位置γに復帰することとなり、受入凹部７１ｂから放出された遊技球ｘは、球押出部材６８ｂにぶつかることなく、残存球ｘ’除去後の発射位置Ｐに保持されることとなる。
【０１０８】
このように、本実施例のパチンコ機にあっても、発射位置Ｐへの遊技球の供給に先立って残存球ｘ’を排出することができる。特に、本実施例では、残存球排出路４４ｂの流入口２２ｂが発射位置Ｐに直結しているため、残存球を確実に排出できるという利点がある。また、球送部材６５ｂ及び球押出部材６８ｂの駆動源がソレノイドで構成されているため、上記実施例に比べて、比較的低廉に製造できる。
【０１０９】
なお、本発明のパチンコ機は、上述した実施例の形態に限定されるものではなく、本発明の要旨を逸脱しない範囲内において種々変更を加え得ることは勿論である。例えば、上記実施例では、球押出部材が球送部材と機械的に連繋し、球送部材の駆動力を利用して、適切なタイミングで残存球を押し出すようにしているが、球押出部材を駆動する駆動装置や該駆動装置を制御する制御装置を、球送装置とは別に配設してもかまわない。
【図面の簡単な説明】
【０１１０】
【図１】第一実施例のパチンコ機１の斜視図である。
【図２】前枠扉６を開放した状態のパチンコ機１の斜視図である。
【図３】発射機構板１６の斜視図である。
【図４】発射機構板１６部分を拡大して示す正面図であり、（ａ）は発射鎚１７が遊技球ｘを打圧する前の状態を示し、（ｂ）は発射鎚１７が遊技球ｘを打圧した直後の状態を示す。
【図５】カバー部材６７を分離して示す、球送装置５０の背面側からの斜視図である。
【図６】筐体５５を破断して示す球送装置５０の背面図である。
【図７】球送装置５０の背面図である。
【図８】発射位置Ｐ部分で下部パネル２３等を縦断し、発射位置Ｐと球送装置５０の配置関係を示す拡大縦断側面図である。
【図９】球送部材６５及び球押出部材６８の背面側からの斜視図である。
【図１０】発射制御に係る制御回路を示すブロック図である。
【図１１】発射動作に伴う発射装置１５及び球送装置５０の作動を示す説明図である。
【図１２】球押出部材６８による残存球ｘ’の押出動作を示す説明図である。
【図１３】第二実施例の球送装置５０ａの背面側からの斜視図である。
【図１４】筐体５５を縦断して示す球送装置５０ａの背面図である。
【図１５】球送装置５０ａの背面図である。
【図１６】発射位置Ｐ部分で下部パネル２３等を縦断し、発射位置Ｐと球送装置５０ａの配置関係を示す拡大縦断側面図である。
【図１７】球送部材６５ａ及び球押出部材６８ａの背面側からの斜視図である。
【図１８】発射動作に伴う発射装置１５及び球送装置５０ａの作動を示す説明図である。
【図１９】第三実施例の球送装置５０ｂの、背面側からの斜視図である。
【図２０】筐体５５ｂを縦断して示す球送装置５０ｂの背面図である。
【図２１】球送装置５０ｂの背面図である。
【図２２】発射位置Ｐ部分で下部パネル２３ｂ等を縦断し、発射位置Ｐと球送装置５０ｂの配置関係を示す拡大縦断側面図である。
【図２３】球送部材６５ｂ及び球押出部材６８ｂの背面側からの斜視図であり、（ａ）は受入凹部７１ｂが受入位置α３にある状態を示し、（ｂ）は受入凹部７１ｂが供給位置β３にある状態を示す。
【図２４】発射動作に伴う発射装置１５及び球送装置５０ｂの作動を示す説明図である。
【図２５】球押出部材６８ｂによる残存球ｘ’の押出動作を示す説明図である。
【符号の説明】
【０１１１】
１  パチンコ機
６  前枠扉
１０  上部遊技球貯留皿
１１  下部遊技球貯留皿
１２  遊技領域
１５  発射装置
１８，１８ａ  発射レール
１９  発射用ソレノイド
２０  案内通路
２２，２２ｂ  流入口
３４  遊技領域開口部
４４，４４ｂ  残存球排出路
５０，５０ａ，５０ｂ球送装置
５１，５１ｂ  取付板
５２，５２ｂ  整流部
６５，６５ａ，６５ｂ  球送部材
６６  球送用モータ（球送駆動手段）
６８，６８ａ，６８ｂ  球押出部材
７１，７１ｂ  受入凹部
８０  発射制御基板（発射制御手段）
Ｐ  発射位置
ｘ  遊技球
α１，α２，α３  受入位置
β１，β２，β３  供給位置
γ  退避位置
δ  押出位置
【図１】
0004846461.tif 000002
【図２】
0004846461.tif 000003
【図３】
0004846461.tif 000004
【図４】
0004846461.tif 000005
【図５】
0004846461.tif 000006
【図６】
0004846461.tif 000007
【図７】
0004846461.tif 000008
【図８】
0004846461.tif 000009
【図９】
0004846461.tif 000010
【図１０】
0004846461.tif 000011
【図１１】
0004846461.tif 000012
【図１２】
0004846461.tif 000013
【図１３】
0004846461.tif 000014
【図１４】
0004846461.tif 000015
【図１５】
0004846461.tif 000016
【図１６】
0004846461.tif 000017
【図１７】
0004846461.tif 000018
【図１８】
0004846461.tif 000019
【図１９】
0004846461.tif 000020
【図２０】
0004846461.tif 000021
【図２１】
0004846461.tif 000022
【図２２】
0004846461.tif 000023
【図２３】
0004846461.tif 000024
【図２４】
0004846461.tif 000025
【図２５】
0004846461.tif 000026